(57)【要約】【課題】  センサの着脱といった煩雑な作業を要することなく発光装置の特性を補正する。【解決手段】  光透過性を有する基板１２には複数の発光素子１４が形成される。反射体３５は、各発光素子１４から発せられて基板１２の側端面１２ｂから出射した光の進行方向を、基板１２の背面側に向かう方向に変化させる。センサ３０は、基板１２の背面側の空間に配置されて反射体３５による反射光を検出する。各発光素子１４の発光量の基準となる基準電位はセンサ３０による検出の結果に基づいて補正される。【選択図】      図２
2006350181.tif 000002
【特許請求の範囲】
【請求項１】
光透過性を有する基板と、
前記基板に形成された複数の発光素子と、
前記各発光素子から発せられて前記基板の側端面から出射した光の進行方向を、前記基板の背面側に向かう方向に変化させる第１光学体と、
前記基板の背面側の空間に配置され、前記第１光学体を経た光を検出するセンサと、
前記センサによる検出の結果に基づいて前記各発光素子の発光量を補正する補正手段と
を具備する発光装置。
【請求項２】
前記センサは、前記第１光学体を経た光が入射する受光面を前記基板と略平行な方向に向けた姿勢に設置される
請求項１に記載の発光装置。
【請求項３】
前記第１光学体を経た光の進行方向を、前記基板に略平行な方向であって当該基板に接近する方向に変化させる第２光学体を具備し、
前記センサは、前記第２光学体を経た光が入射する受光面を前記基板と略垂直な方向に向けた姿勢で当該基板の背面側に配置される
請求項１に記載の発光装置。
【請求項４】
前記基板の背面に対向する配線基板を具備し、
前記センサは、前記配線基板に実装される
請求項１から請求項３の何れかに記載の発光装置。
【請求項５】
前記第１光学体から前記センサまでの光路上に配置された集光体を具備する
請求項１から請求項４の何れかに記載の発光装置。
【請求項６】
基準値記憶手段に記憶された基準値に対応する基準電位を生成する基準電位生成回路と、
前記各発光素子を駆動して前記基準電位に応じた輝度で発光させる駆動回路と
を具備し、前記補正手段は、前記基準値記憶手段に記憶される基準値を前記センサによる検出の結果に基づいて補正する
請求項１に記載の発光装置。
【請求項７】
請求項１から請求項６の何れかに記載の発光装置を具備する電子機器。
【発明の詳細な説明】
【技術分野】
【０００１】
本発明は、有機発光ダイオード（以下「ＯＬＥＤ（Organic  Light  Emitting  Diode）」という）素子などの発光素子を制御する技術に関する。
【背景技術】
【０００２】
表示装置の特性を補正する技術が従来から提案されている。例えば特許文献１には、表示装置の表示面と対向するように設置されたセンサによって各表示色（赤色・緑色および青色）の光量を検出し、この検出の結果に基づいて表示色の特性（特にホワイトバランス）を補正する技術が開示されている。
【特許文献１】特開２００２−２０９２３０号公報（段落００１５および図１）
【発明の開示】
【発明が解決しようとする課題】
【０００３】
しかしながら、この技術においては、表示面と対向するようにセンサが配置されるから、表示装置の特性の補正に先立って表示面にセンサを取り付け、さらに補正の完了後にセンサを取り外すといった煩雑な作業が不可欠となる。本発明は、このような事情に鑑みてなされたものであり、センサの着脱といった煩雑な作業を要することなく発光装置の特性を補正するという課題の解決を目的としている。
【課題を解決するための手段】
【０００４】
この課題を解決するために、本発明に係る発光装置は、光透過性を有する基板と、基板に形成された複数の発光素子と、各発光素子から発せられて基板の側端面から出射した光の進行方向を基板の背面側に向かう方向に変化させる第１光学体（例えば図２の反射体３５）と、基板の背面側の空間（すなわち、基板の全面を含む平面に対して観察側とは反対側の空間）に配置され、第１光学体を経た光を検出するセンサと、センサによる検出の結果に基づいて各発光素子の発光量を補正する補正手段（例えば図１の補正回路２８６）とを具備する。なお、センサは、例えば第１光学体を経た光の強度や光量を検出する。
【０００５】
この構成によれば、基板の背面側の空間にセンサが配置されるから、補正手段による補正に際してセンサを着脱する作業は不要である。また、基板の側端面からの出射光の進行方向が第１光学体によって変更されるから、各発光素子からの出射光を確実にセンサの受光面に到達させることができる。さらに、基板の側端面とセンサの受光面とを直接的に対向させた構成（例えば図３に図示された対比例の構成）と比較して、センサの受光面に対する入射の効率を向上させてセンサによる検出の精度を向上することができる。
【０００６】
なお、基板の側端面からの出射光をセンサの受光面に入射させる効率を向上させるという観点からすると、基板の側端面からの出射光を集光する集光体（例えばレンズ）が当該側端面からセンサまでの光路上に配置されることが望ましい。対比例の構成においては、レンズの設置に伴なって基板の周辺の領域（いわゆる額縁領域）を拡大する必要があるが、本発明においては、第１光学体からセンサまでの光路上にレンズを配置することによって、額縁領域を拡大することなくセンサによる受光の効率を向上させることができる。
【０００７】
本発明の具体的な態様において、センサは、第１光学体を経た光が入射する受光面を基板と略平行な方向に向けた姿勢に設置される（例えば図２参照）。また、第１光学体を経た光の進行方向を基板に略平行な方向であって当該基板に接近する方向に変化させる第２光学体（例えば図６の反射体３７）を備えた構成においては、第２光学体を経た光が入射する受光面を基板と略垂直な方向に向けた姿勢となるようにセンサを当該基板の背面側に配置してもよい（例えば図６参照）。このように、本発明によれば、センサの位置や姿勢が限定される対比例の構成と比較して、センサのレイアウト（センサの位置や姿勢）の自由度を向上させることができるという利点がある。
【０００８】
また、基板の背面に対向する配線基板を備えた構成においては、センサが配線基板に実装された構成も採用される。基板の背面側に配置される配線基板には、例えば、各発光素子を制御するための信号を伝送する配線が形成され、各発光素子を駆動するための駆動回路や補正手段を実現するための回路が必要に応じて実装される。この態様によれば、センサと配線基板とを電気的に接続するための部品（例えばフレキシブル配線基板など）が不要であるから、発光装置を構成する部品数の削減やこれによる製造コストの低減が実現される。
【０００９】
本発明の他の態様は、基準値記憶手段（例えば図１のレジスタ２８２）に記憶された基準値に対応する基準電位を生成する基準電位生成回路と、各発光素子を駆動して基準電位に応じた輝度で発光させる駆動回路（例えば図１のデータ線駆動回路２４）とを具備し、補正手段は、基準値記憶手段に記憶される基準値をセンサによる検出の結果に基づいて補正する。この態様によれば、基準値の更新によって発光素子の輝度が簡易かつ確実に変更される。
【００１０】
より具体的な態様において、三刺激値の目標値を記憶する記憶手段（例えば図２の記憶回路２８４）が更に設けられ、センサは、検出光の三刺激値を出力する一方、補正手段は、センサから出力される三刺激値と記憶手段に記憶された三刺激値との比較の結果に基づいて、基準値記憶手段に記憶される基準値を変更する。さらに詳述すると、補正手段は、基準値記憶手段に記憶される基準値を変化させる基準値更新処理（例えば図４のステップＳ5）を、変化後の基準値のもとで各発光素子を駆動したときにセンサによって検出された三刺激値が目標値たる三刺激値を含む所定の範囲内の数値となるまで繰り返す。また、各々の発光色が相違する複数の材料によって各発光素子が形成された発光装置においては、発光素子の発光色ごとに基準値が設定されたうえで、各発光色の基準値が個別に調整される。この態様によれば、発光色ごとの発光素子の特性の相違を適切に補償して所期のホワイトバランスが高精度に実現される。
【００１１】
本発明に係る発光装置は各種の電子機器に利用される。この電子機器の典型例は、発光装置を表示装置として利用した機器である。この種の電子機器としては、パーソナルコンピュータや携帯電話機などがある。もっとも、本発明に係る発光装置の用途は画像の表示に限定されない。例えば、光線の照射によって感光体ドラムなどの像担持体に潜像を形成するための露光装置（露光ヘッド）としても本発明の発光装置を適用することができる。
【発明を実施するための最良の形態】
【００１２】
＜Ａ：第１実施形態＞
図１は、本発明の実施形態に係る発光装置の電気的な構成を示すブロック図である。同図に示されるように、この発光装置Ｄは、複数の発光素子１４がマトリクス状に配列された発光パネル１０と、各発光素子１４を駆動するための走査線駆動回路２２およびデータ線駆動回路２４と、発光装置Ｄの各部を制御する制御回路２６と、各発光素子１４からの出射光を検出するセンサ３０と、このセンサ３０による検出の結果に基づいて発光装置Ｄの特性を調整する調整回路２８とを具備する。
【００１３】
発光パネル１０は、相互に直交する方向に延在する複数の走査線１２２と複数のデータ線１２４とを有する。走査線１２２とデータ線１２４との各交差に対応する位置に発光素子１４が配置される。各発光素子１４は、各々の発光色が異なる複数の有機ＥＬ（ElectroLuminescent）材料によって形成されたＯＬＥＤ素子である。本実施形態においては、同じ発光色（赤色(R)・緑色(G)・青色(B)）の各発光素子１４がデータ線１２４に沿って配列する構成（ストライプ配列）を例示するが、本発明が適用される範囲はこの例示に何ら限定されない。
【００１４】
制御回路２６は、水平同期信号や垂直同期信号といった各種の制御信号の供給によって走査線駆動回路２２およびデータ線駆動回路２４の動作のタイミングを制御するとともに、各発光素子１４の階調を指定する画像データＧをデータ線駆動回路２４に出力する。
【００１５】
走査線駆動回路２２は、各走査線１２２に対する走査信号の供給によって各発光素子１４を行単位で順次に選択する回路である。一方、データ線駆動回路２４は、走査線駆動回路２２による選択行の各発光素子１４について画像データＧによって指定された階調に応じたデータ信号を生成して各データ線１２４に出力する。各データ線１２４に接続された発光素子１４は、そのデータ線１２４を介して供給されたデータ信号に応じた輝度で発光する。
【００１６】
図１に示されるように、本実施形態におけるデータ線駆動回路２４は、各々が別個のデータ線１２４に接続された複数（総列数と同数）の単位回路２４１を含む。各単位回路２４１は、調整回路２８から供給される基準電位Ｖref（Ｖref[R]・Ｖref[G]・Ｖref[B]）に基づいて、画像データＧに応じたレベルのデータ信号を生成する手段（Ｄ／Ａ変換器）である。例えば、赤色の発光素子１４の配列に対応する各単位回路２４１は、赤色に対応する基準電位Ｖref[R]を基準として画像データＧに応じたレベルのデータ信号を生成する。同様に、緑色に対応する各単位回路２４１は基準電位Ｖref[G]を基準としてデータ信号を生成し、青色に対応する各単位回路２４１は基準電位Ｖref[B]を基準としてデータ信号を生成する。
【００１７】
センサ３０は、各発光素子１４からの出射光を検出する。本実施形態におけるセンサ３０は、検出光の三刺激値（XYZ表色系（CIE1931表色系）で定義される色刺激）を出力する色彩計である。一方、調整回路２８は、このセンサ３０による検出の結果に基づいて各基準電位Ｖrefを変化させる。各発光色の発光素子１４に供給されるデータ信号は各基準電位Ｖrefを基準として生成されるから、調整回路２８が基準電位Ｖrefを変更することによって各発光色の強度や各発光色の相互間のバランスが調整される。なお、調整回路２８は、各発光素子１４の発光量の補正に専用されるハードウェアによって実現されてもよいし、ＣＰＵ（Central Processing Unit）などのコンピュータがソフトウェアを実行することによって実現されてもよい。
【００１８】
次に、図２は、発光装置Ｄの構造を示す断面図である。同図に示されるように、図１に図示された各部は筐体４１に収容される。この筐体４１は、上面に矩形状の開口部４１１が形成された略直方体状の中空部材である。発光パネル１０は、図２に示されるように、筐体４１の開口部４１１よりもひと回り大きい寸法の略矩形状に成形された基板１２を含む。この基板１２は、ガラスやプラスチックなどによって形成された光透過性を有する板状の部材である。基板１２のうち観察側の表面（以下「前面」という）１２ａにおける周縁部は両面テープ４３によって筐体４１の上面の裏側に固定される。
【００１９】
図１に示した各発光素子１４は、基板１２の前面１２ａ（すなわち発光装置Ｄが表示した画像を視認する観察者に対向する表面）のうち開口部４１１の内側の領域に配置される。各発光素子１４からの出射光は、観察側に出射して観察者に知覚されるとともに、観察側以外の方向にも放射される。各発光素子１４から背面側に出射した光の一部は、基板１２の内部を透過したうえで当該基板１２の側端面１２ｂから出射する。なお、実際には、基板１２とその前面１２ａに貼着された光透過性の板材（封止材）とによって各発光素子１４が封止されるが、図２においては便宜的に封止材の図示が省略されている。また、ここではトップエミッション型の発光パネル１０を例示したが、発光パネル１０はボトムエミッション型であってもよい。
【００２０】
発光パネル１０の背面側には基板１２の背面と対向するように配線基板２０が設置される。図１に示した各回路（走査線駆動回路２２・データ線駆動回路２４・制御回路２６・調整回路２８）は配線基板２０にＩＣチップの形態で実装され、この配線基板２０の表面に形成された配線を介して相互に接続される。配線基板２０と発光パネル１０とはフレキシブル配線基板４５を介して電気的に接続される。
【００２１】
図２に示されるように、基板１２の側端面１２ｂと対向する位置には反射体３５が設置される。この反射体３５は、光反射性を有する反射面３５１が基板１２の側端面１２ｂに対して約４５度に傾斜する姿勢で筐体４１の内部に固定される。同図に矢印で示されるように、各発光素子１４から発せられて基板１２の側端面１２ｂから出射した光（以下「横漏れ光」という）は反射面３５１で基板１２の背面側に反射する。この反射光の進行方向は基板１２の表面（前面１２ａ）に垂直な方向である。
【００２２】
図２に示されるように、基板１２の背面側の空間には図１に示したセンサ３０が設置される。本実施形態におけるセンサ３０は、受光面３１を反射体３５の反射面３５１に対向させた姿勢（すなわち受光面３１を基板１２の表面と略平行な方向に向けた姿勢）で筐体４１に固定され、配線基板２０の調整回路２８に対して配線（図示略）を介して電気的に接続される。図２に矢印で示されるように、反射体３５による反射光はセンサ３０の受光面３１に入射する。
【００２３】
以上に説明したように、本実施形態においては、基板１２の側端面１２ｂからの横漏れ光がセンサ３０によって検出されるから、センサ３０を基板１２の前面１２ａと対向するように設置する必要はない。したがって、発光装置Ｄの特性の調整に際してセンサ３０を着脱する作業は不要である。さらに、基板１２の側端面１２ｂからの横漏れ光は反射体３５での反射によって確実にセンサ３０に到達するから、反射体３５が設置されない構成と比較して横漏れ光の検出の精度を向上させることができる。
【００２４】
ところで、基板１２の側端面１２ｂからの横漏れ光を検出する構成としては、例えば図３に示されるように、基板１２の側端面１２ｂとセンサ３０の受光面３１とを直接的に（すなわち基板１２とセンサ３０との間に光学体を介在させることなく）対向させた構成も考えられる。しかしながら、図３に示された対比例の構成においては、発光素子１４からの出射光をセンサ３０の受光面３１に到達させる効率（すなわち、基板１２の側端面１２ｂに到達した発光素子１４からの出射光のうちセンサ３０によって受光される光量の割合）が低下し、これによってセンサ３０による検出の精度が制限されるという問題が生じ得る。例えば、図３に示されるように基板１２の側端面１２ｂとセンサ３０の受光面３１とが間隙をもって対向する構成においては、側端面１２ｂと受光面３１とで光が反射（散乱）や屈折を繰り返すことによってセンサ３０の受光面３１への入射光量が減少する場合がある。また、例えば側端面１２ｂと受光面３１とが接触する構成においても、その境界面にて各発光素子１４からの光が反射または屈折することによって受光面３１に到達しない場合がある。これに対し、本実施形態においては、基板１２の側端面１２ｂからの横漏れ光が反射体３５による反射を経たうえでセンサ３０に到達するから、センサ３０の受光面３１に対する入射の効率を向上させることができる。
【００２５】
なお、本実施形態においては、反射体３５の反射面３５１とセンサ３０の受光面３１との間隙（例えば図２の位置Ｐ1）にレンズを配置してもよい。この構成によれば、反射体３５による反射光を集光したうえでセンサ３０に入射させることができるから、横漏れ光の利用を効率化してセンサ３０による検出の精度を高めることができる。なお、本実施形態のセンサ３０としては、受光面３１の透過光が入射する感度補正フィルタと、この感度補正フィルタの透過光を受光する受光素子（例えばＣＣＤ（Charge Coupled Device））とを含む光学センサが採用される。ここで、感度補正フィルタのなかには、受光面に対して略垂直な方向（光軸の方向）の入射光に対しては充分な感度補正の機能を発揮するが、この光軸の方向に対して傾斜した方向の入射光に対しては所期の精度による感度補正が実行されないという特性を有するものがある。図２の位置Ｐ1にレンズを配置した構成においては、反射面３５１から受光面３１に向かって進行する光束がレンズによって集束されるから、受光面３１への入射光を光軸の方向に略垂直な方向に近づけることができる。したがって、センサ３０の前段にレンズが配置された構成によれば、レンズが配置されていない構成と比較して、感度補正フィルタの特性を有効に発揮させることができる（すなわち感度補正フィルタによって充分な色合わせを実現することができる）という利点もある。
【００２６】
一方、図３に示した対比例に対して同様のレンズを追加する場合を検討する。この対比例においては、基板１２の側端面１２ｂとこれに対向するセンサ３０の受光面３１との間隙（例えば図３の位置Ｐ0）にレンズが設置される。しかしながら、この場合には、レンズの寸法分（光軸方向の厚さ分）だけ基板１２とセンサ３０との間隔を確保する必要があるから、発光素子１４が配列された領域の周辺の領域（いわゆる額縁領域）を拡大しなければならないという問題がある。これに対し、本実施形態においては、反射体３５とセンサ３０との光路上にレンズを配置することによって、額縁領域の拡大を伴なうことなくセンサ３０による受光の効率を向上させることができる。
【００２７】
次に、図１に示した調整回路２８の具体的な構成および動作について説明する。同図に示されるように、本実施形態における調整回路２８は、基準電位生成回路２８１と記憶回路２８４と補正回路２８６とを含む。
【００２８】
基準電位生成回路２８１は、各発光色に対応する基準電位Ｖref（Ｖref[R]・Ｖref[G]・Ｖref[B]）を生成してデータ線駆動回路２４の各単位回路２４１に出力する手段である。本実施形態における基準電位生成回路２８１はレジスタ２８２を備える。このレジスタ２８２には、各発光色に対応する基準値［rＲ，rＧ，rＢ］が書き換え可能に格納される。基準電位生成回路２８１は、これらの基準値に応じたレベルの基準電位Ｖrefを出力するＤ／Ａ変換器である。すなわち、基準電位生成回路２８１は、基準値rＲに応じて赤色の基準電位Ｖref[R]を生成し、基準値rＧに応じて緑色の基準電位Ｖref[G]を生成し、基準値rＢに応じて青色の基準電位Ｖref[B]を生成する。
【００２９】
記憶回路２８４は、所定の白色についてXYZ表色系（CIE1931表色系）で定義される三刺激値［ＸW0，ＹW0，ＺW0］を目標値として記憶する手段である。記憶回路２８４としては、例えばＥＥＰＲＯＭ（Electrically Erasable Programmable Read-Only Memory）が好適に採用される。
【００３０】
補正回路２８６は、センサ３０による検出の結果と記憶回路２８４に記憶された目標値とに基づいて、レジスタ２８２に格納された基準値［rＲ，rＧ，rＢ］を更新する。本実施形態における補正回路２８６は、レジスタ２８２に格納された基準値［rＲ，rＧ，rＢ］を更新する処理（以下「基準値更新処理」という）を実行する。さらに詳述すると、補正回路２８６は、基準値更新処理による更新後の基準値［rＲ，rＧ，rＢ］のもとで白色を表示したときにセンサ３０によって検出される三刺激値［ＸW，ＹW，ＺW］が、目標値［ＸW0，ＹW0，ＺW0］を含む所定の範囲（以下「許容範囲」という）内に収まるまで、基準値更新処理を順次に繰り返す。そして、センサ３０によって検出された三刺激値［ＸW，ＹW，ＺW］が許容範囲内に収まった段階でレジスタ２８２に設定されている基準値［rＲ，rＧ，rＢ］に基づいて各発光素子１４を発光させることによって、所期のホワイトバランスを維持した表示が可能となる。
【００３１】
基準値更新処理においては、その直前の基準値更新処理にて算定された基準値に基づいて新たな基準値が算定される。自然数ｎを用いて一般的に表記すると、第(n+1)回目の基準値更新処理においては、第n回目の基準値更新処理で算定された基準値［rＲn，rＧn，rＢn］に基づいて新たな基準値［rＲn+1，rＧn+1，rＢn+1］が算定される。この算定の方法は以下の通りである。
【００３２】
以上に説明したように各発光色に対応する基準電位Ｖrefはその発光色の基準値に応じて決定される。したがって、各発光色（赤色・緑色・青色）を単独で表示したときにセンサ３０によって検出される三刺激値は、以下に定義されるように各発光色の基準値［rＲ，rＧ，rＢ］に依存する。
赤色の発光素子１４のみを発光させたときの三刺激値：［ＸR(rR)，ＹR(rR)，ＺR(rR)］
緑色の発光素子１４のみを発光させたときの三刺激値：［ＸG(rG)，ＹG(rG)，ＺG(rG)］
青色の発光素子１４のみを発光させたときの三刺激値：［ＸB(rB)，ＹB(rB)，ＺB(rB)］
したがって、発光パネル１０を白色に発光させたときにセンサ３０によって検出される三刺激値［ＸW，ＹW，ＺW］は、以上の各発光色の三刺激値を用いて以下のように表現される。
ＸW＝ＸR(rR)＋ＸG(rG)＋ＸB(rB)    ……(1x)
ＹW＝ＹR(rR)＋ＹG(rG)＋ＹB(rB)    ……(1y)
ＺW＝ＺR(rR)＋ＺG(rG)＋ＺB(rB)    ……(1z)
【００３３】
いま、レジスタ２８２の基準値を［rＲn，rＧn，rＢn］から［rＲn+1，rＧn+1，rＢn+1］に変更した場合を想定すると、この変更の前後にわたる白色の三刺激値の変化量［ΔＸW，ΔＹW，ΔＺW］は以下のように表現される。
ΔＸW＝ＸWn+1−ＸWn    ……(2x)
ΔＹW＝ＹWn+1−ＹWn    ……(2y)
ΔＺW＝ＺWn+1−ＺWn    ……(2z)
【００３４】
式(1x)ないし式(1z)を用いて式(2x)ないし式(2z)を変形すると、以下の式(3x)ないし式(3z)が導出される。
【数１】
2006350181.tif 000003
この式(3x)ないし式(3z)は以下の行列式(4)によって表現される。
【数２】
2006350181.tif 000004
この行列式(4)を変形すると、第(n+1)回目の基準値更新処理で算定される基準値は、以下の行列式(5)で表現されることが判る。
【数３】
2006350181.tif 000005
【００３５】
次に、図４を参照して、調整回路２８の具体的な動作について説明する。なお、同図の処理が実行されるタイミングやその契機は任意である。例えば、利用者が操作子を介して調整の指示を入力するたびに同図の処理が実行されてもよいし、発光装置Ｄの電源が投入されるたびに同図の処理が実行されてもよい。また、発光装置Ｄの出荷前に１回だけ図４の処理が実行されてもよい。
【００３６】
まず、調整回路２８の補正回路２８６は、赤色に対応した基準値rＲに関する三刺激値［ＸR(rR)，ＹR(rR)，ＺR(rR)］の偏微分係数（すなわち式(3x)ないし式(3z)の各々の左辺における第１項目（あるいは右辺における第２項目）の偏微分係数）を算定する（ステップＳ1）。図５は、ステップＳ1の具体的な処理の内容を示すフローチャートである。なお、ステップＳ1の開始の時点でレジスタ２８２には基準値rＲaが記憶されているものとする。
【００３７】
図５に示されるように、補正回路２８６はまず、その時点（図４の処理を開始した時点）で設定されている基準値rＲaを維持したまま発光パネル１０に赤色を表示させる（ステップＳa1）。すなわち、補正回路２８６は、制御回路２６に指令を出力することによって、赤色の各発光素子１４を発光させるとともに緑色および青色の各発光素子１４を消灯させる。
【００３８】
次に、補正回路２８６は、ステップＳa1で表示された赤色についてセンサ３０が検出した三刺激値［ＸR(rRa)，ＹR(rRa)，ＺR(rRa)］を取得する（ステップＳa2）。続いて、補正回路２８６は、レジスタ２８２に格納されている基準値rＲaを、この基準値rＲaに所定値（ここでは「１」）を加算した新たな基準値rＲb（＝rＲa＋１）に更新する（ステップＳa3）。この結果、発光パネル１０が表示する赤色は新たな基準値rＲbに応じた色味に変更される。補正回路２８６は、この更新後の赤色についてセンサ３０が検出した三刺激値［ＸR(rRb)，ＹR(rRb)，ＺR(rRb)］を取得する（ステップＳa4）。そして、補正回路２８６は、ステップＳa2で取得した三刺激値［ＸR(rRa)，ＹR(rRa)，ＺR(rRa)］とステップＳa4で取得した三刺激値［ＸR(rRb)，ＹR(rRb)，ＺR(rRb)］とに基づいて、赤色に対応した基準値rＲに関する三刺激値［ＸR(rR)，ＹR(rR)，ＺR(rR)］の偏微分係数を算定する（ステップＳa5）。
【００３９】
以上のように赤色に関する偏微分係数が算定されると、補正回路２８６は、図５と同様の手順によって、緑色に対応した基準値rＧに関する三刺激値［ＸG(rG)，ＹG(rG)，ＺG(rG)］の偏微分係数（すなわち式(3x)ないし式(3z)の各々の左辺における第２項目（あるいは右辺における第３項目）の偏微分係数）を算定する（ステップＳ2）。同様に、補正回路２８６は、青色に対応した基準値rＢに関する三刺激値［ＸB(rB)，ＹB(rB)，ＺB(rB)］の偏微分係数を算定する（ステップＳ3）。なお、ここでは便宜的に、各発光色に対応する三刺激値の取得のたびに当該発光色の偏微分係数が順次に算定される構成を例示したが、総ての発光色に対応する三刺激値の取得後に、各発光色に対応する偏微分係数が算定される構成としてもよい。
【００４０】
以上の手順で各発光色の偏微分係数が算定されると、図４に示されるように、補正回路２８６は、発光パネル１０に白色を表示させる（ステップＳ4）。すなわち、補正回路２８６は、制御回路２６に指令を出力することによって総ての発光色の発光素子１４を一斉に点灯させる。
【００４１】
次に、補正回路２８６は、ステップＳ1ないしステップＳ3で算定した偏微分係数を用いて、行列式(5)に基づいて新たな基準値［rＲn+1，rＧn+1，rＢn+1］を算定してレジスタ２８２に設定する（ステップＳ5）。なお、図４の処理が開始された直後のステップＳ5においては、ステップＳ1ないしステップＳ3（図５のステップＳa3）にて新たに設定した基準値［rＲb，rＧb，rＢb］が行列式(5)の基準値［rＲn，rＧn，rＢn］として使用される。
【００４２】
続いて、補正回路２８６は、このレジスタ２８２の更新後に表示されている白色についてセンサ３０が検出した三刺激値［ＸW，ＹW，ＺW］を取得する（ステップＳ6）。そして、補正回路２８６は、この三刺激値［ＸW，ＹW，ＺW］と記憶回路２８４に保持された目標値［ＸW0，ＹW0，ＺW0］とを比較することによって（ステップＳ7）、その時点での三刺激値［ＸW，ＹW，ＺW］が許容範囲内にあるか否かを判定する（ステップＳ8）。ここで許容範囲外にあると判定すると、補正回路２８６は、ステップＳ5に処理を移行して基準値更新処理および三刺激値の取得といったステップＳ5からステップＳ7までの処理を繰り返す。一方、三刺激値［ＸW，ＹW，ＺW］が許容範囲内にあると判定すると、補正回路２８６は、図４の処理を終了する。すなわち、それ以後の表示に使用される基準値［rＲ，rＧ，rB］は、ステップＳ8の判定結果が「Yes」となった時点でレジスタ２８２に格納されている数値に確定される。
【００４３】
本実施形態のように各々の発光色が相違する複数の材料によって各発光素子１４が形成された構成においては、各発光素子１４の特性の経時的な変化の程度が発光色ごとに相違する場合がある。本実施形態によれば、各発光色を単独で表示したときの三刺激値に基づいてレジスタ２８２の基準値［rＲ，rＧ，rB］が調整されるから、各発光素子１４の特性が発光色ごとに相違する場合であっても適切なホワイトバランスが実現される。
【００４４】
＜Ｂ：第２実施形態＞
次に、本発明の第２実施形態について説明する。第１実施形態においては、受光面３１が基板１２と略平行となる姿勢にセンサ３０が配置された構成を例示した。これに対し、本実施形態においては、受光面３１が基板１２と略垂直となる姿勢にセンサ３０が配置される。なお、本実施形態のうち第１実施形態と同様の要素については共通の符号を付してその説明を適宜に省略する。
【００４５】
図６は、本実施形態に係る発光装置Ｄの構成を示す断面図である。同図に示されるように、本実施形態の発光装置Ｄにおいては、受光面３１を基板１２と略垂直な方向に向けた姿勢となるようにセンサ３０が筐体４１に固定される。また、反射体３５の反射面３５１およびセンサ３０の受光面３１の双方と対向する位置（すなわち反射体３５の背面側）には反射体３７が設置される。この反射体３７は、反射体３５の反射面３５１に対して約９０度の角度をなす反射面３７１を有する。換言すると、反射体３７の反射面３７１は、センサ３０の受光面３１に対して約４５度に傾斜する平面である。したがって、図６に矢印で示されるように、反射体３５による反射光の進行方向は、反射体３７の反射面３７１で反射することによって、基板１２に略平行な方向で当該基板１２に接近する方向（図６の右方向）に変化する。すなわち、基板１２の側端面１２ｂから出射した横漏れ光は、反射体３５および反射体３７における反射を経てからセンサ３０の受光面３１に到達する。
【００４６】
本実施形態においても、基板１２の側端面１２ｂからの横漏れ光が反射を経たうえでセンサ３０に到達するから、第１実施形態と同様の効果が奏される。以上に説明したように、基板１２の側端面１２ｂからの横漏れ光が反射体（３５や３７）によってセンサ３０まで導かれるから、本発明によれば、センサ３０の姿勢に制約がある図３の対比例と比較して、センサ３０のレイアウト（センサ３０の位置や姿勢）の自由度を向上させることができるという利点がある。なお、本実施形態においては、反射体３５と反射体３７との間隙や反射体３７とセンサ３０との間隙といった各位置（図６の位置Ｐ2）にレンズを配置することによって横漏れ光の利用効率やセンサ３０による検出精度を向上させることができる。
【００４７】
＜Ｃ：変形例＞
以上の各形態には様々な変形を加えることができる。具体的な変形の態様を例示すれば以下の通りである。なお、以下の各態様を適宜に組み合わせてもよい。
【００４８】
（１）変形例１  
以上の各実施形態においては、センサ３０が筐体４１に固定された構成を例示したが、センサ３０の設置の態様はこれに限定されない。例えば、図７に示されるように、センサ３０が配線基板２０に実装された構成も採用される。この構成においては、配線基板２０に形成された配線によってセンサ３０と調整回路２８（補正回路２８６）とが電気的に接続される。したがって、センサ３０と配線基板２０とを電気的に接続するための部品（例えばフレキシブル配線基板など）が不要となり、発光装置Ｄを構成する部品の総数の削減やこれによる製造コストの低減が実現される。なお、図７においては第１実施形態を基礎とした構成を例示したが、第２実施形態の構成においても同様の構成が採用される。
【００４９】
（２）変形例２  
各実施形態においては、基板１２の側端面１２ｂからの横漏れ光を反射させる構成を例示したが、横漏れ光の進行方向を変更するための手段（光学体）はこれに限定されない。例えば、横漏れ光を屈折または反射させるプリズムや横漏れ光を所望の方向に伝達する光ファイバなど光学的な作用を持った様々な要素を本発明の光学体として採用することができる。
【００５０】
（３）変形例３  
本発明において発光素子１４の発光量を補正するための方法は任意である。例えば、各実施形態にて説明したように基準電位Ｖrefを調整する構成に代えて、またはこの構成とともに、センサ３０による検出の結果に基づいて画像データＧを補正する構成としてもよい。例えば、センサ３０による検出の結果に基づいて各発光色ごとに補正値を算定し、外部から入力される画像データＧをこの補正値に基づいて補正したうえでデータ線駆動回路２４に供給するといった具合である。また、各実施形態においては発光色ごとに各発光素子１４の発光量を補正する構成を例示したが、発光色を区別することなく総ての発光素子１４の発光量を一括的に補正してもよい。このように、本発明においては、センサ３０による検出の結果に基づいて各発光素子１４の発光量が補正される構成であれば足り、その補正の方法やその方法を実現するための具体的な構成の如何は不問である。
【００５１】
（４）変形例４  
各実施形態においてはＯＬＥＤ素子を利用した発光装置Ｄを例示したが、本発明が適用される範囲はこれに限定されない。例えば、無機ＥＬ素子やＬＥＤ（Light  Emitting  Diode）素子を利用した発光装置、プラズマディスプレイパネル、電界放出ディスプレイ（FED：Field  Emission  Display）、表面電界ディスプレイ（SED：Surface-conduction  Electron-emitter  Display）など様々な発光装置にも本発明を適用することができる。本発明における発光素子とは、電気エネルギの付与（典型的には電流の供給）によって発光する素子であれば足り、その材料や構造の如何は不問である。
【００５２】
＜Ｄ：応用例＞
次に、本発明に係る発光装置を利用した電子機器について説明する。図８は、以上に説明した何れかの形態に係る発光装置Ｄを表示装置として採用したモバイル型のパーソナルコンピュータの構成を示す斜視図である。パーソナルコンピュータ２０００は、表示装置としての発光装置Ｄと本体部２０１０とを備える。本体部２０１０には、電源スイッチ２００１およびキーボード２００２が設けられている。この発光装置Ｄは発光素子１４にＯＬＥＤ素子を使用しているので、視野角が広く見易い画面を表示できる。
【００５３】
図９に、発光装置Ｄを適用した携帯電話機の構成を示す。携帯電話機３０００は、複数の操作ボタン３００１およびスクロールボタン３００２、ならびに表示装置としての発光装置Ｄを備える。スクロールボタン３００２を操作することによって、発光装置Ｄに表示される画面がスクロールされる。
【００５４】
図１０に、発光装置Ｄを適用した携帯情報端末（ＰＤＡ：Personal Digital Assistants）の構成を示す。情報携帯端末４０００は、複数の操作ボタン４００１および電源スイッチ４００２、ならびに表示装置としての発光装置Ｄを備える。電源スイッチ４００２を操作すると、住所録やスケジュール帳といった各種の情報が発光装置Ｄに表示される。
【００５５】
なお、本発明に係る発光装置Ｄが適用される電子機器としては、図８から図１０に示したもののほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。また、本発明に係る発光装置の用途は画像の表示に限定されない。例えば、光書込み型のプリンタや電子複写機といった画像形成装置においては、用紙などの記録材に形成されるべき画像に応じて感光体を露光する書込みヘッドが使用されるが、この種の書込みヘッドとしても本発明の発光装置は利用される。
【図面の簡単な説明】
【００５６】
【図１】本発明の実施形態に係る発光装置の電気的な構成を示すブロック図である。
【図２】発光装置の構造を示す断面図である。
【図３】対比例に係る発光装置の断面図である。
【図４】調整回路の具体的な動作を示すフローチャートである。
【図５】偏微分係数を算定するための処理を示すフローチャートである。
【図６】第２実施形態に係る発光装置の構造を示す断面図である。
【図７】変形例に係る発光装置の構造を示す断面図である。
【図８】本発明に係る電子機器の具体的な形態を示す斜視図である。
【図９】本発明に係る電子機器の具体的な形態を示す斜視図である。
【図１０】本発明に係る電子機器の具体的な形態を示す斜視図である。
【符号の説明】
【００５７】
Ｄ……発光装置、１０……発光パネル、１２……基板、１４……発光素子、２０……配線基板、２２……走査線駆動回路、２４……データ線駆動回路、２８……調整回路、２８１……基準電位生成回路、２８２……レジスタ、２８４……記憶回路、２８６……補正回路、３０……センサ、３１……受光面、３５，３７……反射体。
【図１】
2006350181.tif 000006
【図２】
2006350181.tif 000007
【図３】
2006350181.tif 000008
【図４】
2006350181.tif 000009
【図５】
2006350181.tif 000010
【図６】
2006350181.tif 000011
【図７】
2006350181.tif 000012
【図８】
2006350181.tif 000013
【図９】
2006350181.tif 000014
【図１０】
2006350181.tif 000015